(57)【特許請求の範囲】
【請求項１】
第１の面と第２の面を有する吸収性コアと前記吸収性コアを被覆するコアラップシートを有する吸収体と、前記吸収体の前記第２の面側に配置された表面シートと、前記吸収体の前記第１の面側に配置された裏面シートと、を具備し、互いに直交する幅方向及び前後方向を有する吸収性物品であって、
前記吸収体と前記裏面シートとの間に配置された消臭シートを更に具備し、
前記吸収性コアは、前記前後方向の両端部側に位置する前方コア部及び後方コア部と、前記前方コア部及び前記後方コア部の間に位置する中間コア部と、を有し、
前記吸収性コアは、前記中間コア部の少なくとも前記幅方向中央域に位置する前記裏面シート側に突出する凸状の高厚み部と、前記高厚み部よりも厚みが薄い低厚み部と、を有し、前記前方コア部及び前記後方コア部は前記低厚み部から構成され、
前記消臭シートと前記低厚み部との間に、前記高厚み部と前記低厚み部によって形成される段差により形成された空間が位置し、
前記消臭シートは、前記空間と重なる位置の少なくとも一部に消臭剤を含み、
前記消臭シートは、接着剤によって前記吸収体の前記高厚み部が位置する領域に接合され、
前記吸収体の前記低厚み部が位置する領域に、前記消臭シートと前記吸収体を接着する接着剤が位置しない、又は、前記空間を形成可能に局所的に位置する
吸収性物品。
【請求項２】
前記中間コア部において、前記高厚み部を間に介して前記幅方向両側方域に、前記低厚み部が位置する
請求項１に記載の吸収性物品。
【請求項３】
前記高厚み部の坪量は前記低厚み部の坪量より高い
請求項１又は２に記載の吸収性物品。
【請求項４】
前記低厚み部は、前記高厚み部より坪量の低い第１領域と、前記第１領域よりも坪量が高い第２領域とを含み、
前記第２領域は、前記中間コア部に、前記高厚み部の前記幅方向両側部に隣接して一対位置する
請求項２に記載の吸収性物品。
【請求項５】
前記消臭シートは、消臭剤含有部と、前記消臭剤含有部の前記幅方向両側部に隣接して位置する消臭剤非含有部と、を有し、
前記消臭剤含有部は、平面視で前記高厚み部の形成領域を含む前記形成領域よりも広い領域に位置する
請求項１〜４のいずれか１項に記載の吸収性物品。
【請求項６】
前記吸収性コアの前記第１の面は、前記第１の面に開口した開口部を有する
請求項１〜５のいずれか１項に記載の吸収性物品。
【請求項７】
前記吸収性コアは、エンボス加工されている前記第１の面を有する
請求項１〜６のいずれか１項に記載の吸収性物品。
【請求項８】
前記吸収性物品は、前記表面シート側に形成され対をなして配置された左右圧搾溝を備え、
前記左右圧搾溝各々は、
前記吸収性物品の前後方向中間部においては前記前後方向に延び、かつ、前記前後方向中間部の前記前後方向外方に位置する前後方向前方部又は後方部においては前記幅方向内方に向かって相互に近接するように延びる本体溝部と、
左右の前記本体溝部の相互に接近する側から前記前後方向外方に延びる並走溝部と、
前記並走溝部の前記前後方向外方側から前記幅方向外方に向かって相互に離間するように延びる端部溝部と、を有する
請求項１〜７のいずれか１項に記載の吸収性物品。
【発明の詳細な説明】
【技術分野】
【０００１】
本発明は、生理用ナプキン等の吸収性物品に関する。
【背景技術】
【０００２】
近年、生理用ナプキンやパンティライナー等の吸収性物品として、消臭性能を持たせたものが種々提案されている。例えば特許文献１には、吸収体と裏面シートとの間に消臭シートが配された吸収性物品が記載されている。この吸収性物品に設けられる吸収体は、肌側面に突出する肉厚部を有し、非肌側面に形成された溝を有する吸収性コアを含む。
【先行技術文献】
【特許文献】
【０００３】
【特許文献１】特開２０１６−１２０１９２号公報
【発明の概要】
【発明が解決しようとする課題】
【０００４】
特許文献１に記載の吸収性物品では、消臭シートと吸収体の非肌側面とは、吸収体の外形を構成する領域で接した構造となっている。このため、吸収体が吸収した経血等が吸収体を通って消臭シートの全面に到達しやすくなっており、消臭シートは経血等で塗れることによって消臭性能が低下することがあった。
【０００５】
本発明の課題は、消臭シートの消臭性能の低下を抑制することが可能な吸収性物品の提供に関する。
【課題を解決するための手段】
【０００６】
本発明の一形態に係る吸収性物品は、吸収性コアと、表面シートと、裏面シートと、を具備する。
上記吸収性物品は、互いに直交する幅方向及び前後方向を有する。
上記吸収性物品は、上記吸収性コアと上記裏面シートとの間に配置された消臭シートを更に具備する。
上記吸収性コアは、第１の面と第２の面を有する。
上記表面シートは、上記吸収性コアの上記第２の面側に配置される。
上記裏面シートは、上記吸収性コアの上記第１の面側に配置される。
上記吸収性コアは、上記前後方向の両端部側に位置する前方コア部及び後方コア部と、上記前方コア部及び上記後方コア部の間に位置する中間コア部と、を有する。
上記吸収性コアは、上記中間コア部に位置する上記裏面シート側に突出する凸状の高厚み部と、上記高厚み部よりも厚みが薄い低厚み部と、を有する。
【発明の効果】
【０００７】
以上のように、本発明の吸収性物品によれば、消臭シートが濡れにくい構造とすることができ、消臭シートの消臭性能の低下を抑制することができる。
【図面の簡単な説明】
【０００８】
【図１】本発明の一実施形態に係る吸収性物品を示す平面図である。
【図２】図１のＩＩ−ＩＩ線で切断した模式断面図である。
【図３】図１のＩＩＩ−ＩＩＩ線で切断した模式断面図である。
【図４】上記吸収性物品の平面図であり、上記吸収性物品の吸収性コアと消臭シートとの位置関係を示す図である。
【図５】上記吸収性コアを非肌側面からみた平面図である。
【図６】上記消臭シートの平面図である。
【図７】図１のＩＩ−ＩＩ線で切断した模式断面図であり、消臭効果を説明するための図である。
【図８】吸収性コアを非肌側面からみた平面図であり、エンボス加工の範囲を説明する図である。
【図９】他の例の消臭シートを備えた横方向Ｙに沿って切断した吸収性物品の模式断面図である。
【図１０】他の例の吸収性コアを非肌側面からみた平面図である。
【図１１】他の例の吸収性コアを備えた吸収性物品の模式断面図である。
【図１２】他の例の吸収性コアの平面図である。
【図１３】他の例の吸収性物品の模式断面図である。
【発明を実施するための形態】
【０００９】
以下、図面を参照しながら、本発明の実施形態を説明する。
［ナプキンの全体構成］
本発明の吸収性物品１は、図１に示すように、本体Ｍと、一対のウイング部Ｗと、圧搾溝６と、を備える。吸収性物品１は、生理用ナプキンとして構成され、以下、ナプキン１と称する。
ナプキン１は、着用者の前後方向に対応する縦方向Ｘと、着用者の左右方向に対応し縦方向Ｘに直交する横方向Ｙとを有する。横方向Ｙはナプキン１の幅方向に対応する。さらに、ナプキン１は、縦方向Ｘ及び横方向Ｙの双方に直交する厚み方向Ｚを有する。なお、本明細書では、厚み方向Ｚに関しては、着用時に着用者の肌に近い側を上又は肌側、着衣に近い側を下又は非肌側という事がある。
【００１０】
本体Ｍは、縦方向Ｘに沿って延び、着用時に着用者の着衣の内面に固定される。本体Ｍは、後述する吸収体４を有しており、着用者の経血等の液状物（以下、「液」とも称する）を吸収する機能を有する。
【００１１】
本体Ｍは、縦方向Ｘに沿って並ぶ前方部Ｍ１と、中間部Ｍ２と、後方部Ｍ３と、に区分される。
中間部Ｍ２は、着用時に着用者の排泄領域に対向する領域である。図１において、中間部Ｍ２は、本体Ｍにおけるウイング部Ｗの前後基端部間の領域である。
前方部Ｍ１は、中間部Ｍ２の前方（着用者の腹側）に配置される領域であり、着用時に着用者の排泄領域の前方に対向するように構成される。
後方部Ｍ３は、中間部Ｍ２の後方（着用者の背側）に配置される領域であり、着用時に着用者の排泄領域の後方に対向するように構成される。
なお、ここでいう着用時は、通常の適正な着用位置（ナプキン１の想定される着用位置）が維持された状態を意味し、ナプキン１が当該着用位置からずれた状態にある場合は含まない。
【００１２】
ウイング部Ｗは、本体Ｍの中間部Ｍ２から横方向Ｙの外方に大きく突出するように構成される。
【００１３】
左右圧搾溝６は、本体Ｍの中央部を囲むように形成された溝状構造であり、本体Ｍの表面シート２側から厚み方向Ｚに圧搾加工することによって形成される。圧搾溝６の形状は、図１に示す例に限定されない。
【００１４】
図２に示すように、ナプキン１は、吸収体４と、表面シート２と、裏面シート３と、一対のサイドシート５と、消臭シート１５と、を備える。本体Ｍにおいて、ナプキン１は、裏面シート３、消臭シート１５、吸収体４及び表面シート２が厚み方向Ｚに積層された構成を有する。これらの構成は、例えば、接着剤やヒートシール等による接合、及び圧搾溝６によるエンボス加工等によって、適宜接合されて一体化している。
【００１５】
吸収体４は、縦方向Ｘに沿って延び、表面シート２と裏面シート３との間に配置される。吸収体４は、液を表面シート２側の面から吸収し、内部で拡散させて当該液を保持する。
吸収体４は、吸収性コア７と、コアラップシート８と、を有する。
吸収性コア７は、図２に示す例では、パルプ繊維等の親水性繊維で構成された繊維集合体に高吸水性ポリマーＰを保持させた構成を有しているが、この構成に限定されない。
コアラップシート８は、吸収性コア７を被覆し、例えば吸収性コア７の形状を保持する機能等を有する。コアラップシート８は、例えばティッシュペーパー状の薄く柔らかい紙や液透過性の不織布等で形成される。
【００１６】
表面シート２は、液透過性のシート材として構成され、吸収体４の厚み方向Ｚ上方に配置される。なお、表面シート２と吸収体４との間には、表面シート２から吸収体４への液の透過性の向上、吸収体４に吸収された液の表面シート２への液戻りの防止等の観点から、セカンドシート（サブレイヤーシート）が配置されていてもよい。表面シート２は、例えば、厚み方向Ｚ外方に突出する凸部を有していてもよい。
【００１７】
裏面シート３は、吸収体４の厚み方向Ｚ下方に配置される。裏面シート３は、例えばその周縁において、表面シート２及びサイドシート５と接着剤、熱シール等によって接合される。裏面シート３は、接着剤等によって吸収体４及び消臭シート１５に接合されていてもよい。
裏面シート３は、例えば、液難透過性、水蒸気透過性及び撥水性等の機能を有するシート材で形成される。当該シート材としては、例えば熱可塑性樹脂のフィルムや、当該フィルムと不織布とのラミネート等を用いることができる。裏面シート３は、通気性の良い材料で形成される。
なお、裏面シート３には、着衣に対して本体Ｍ及を固定する図示しない粘着部が設けられている。粘着部は、本体Ｍに加えて、ウイング部Ｗにも設けられていてもよい。
【００１８】
一対のサイドシート５は、表面シート２の横方向Ｙ外側に配置される。サイドシート５の材料としては、表面シート２よりも親水性が小さいシート材料が好ましく、具体的には、表面シート２よりも親水性の低い不織布、フィルム材料、及び不織布とフィルム材料のラミネート構造のシートが挙げられる。サイドシート５は、例えば接着剤Ｅによって表面シート２に接合されている。
【００１９】
［吸収性コアの構成］
図２に示すように、吸収性コア７は、非肌側面である第１の面７ａと、肌側面（排泄部対向部）である第２の面７ｂとを有する。
図４及び５に示すように、吸収性コア７は、前方コア部２１と、中間コア部２２と、後方コア部２３と、を有する。前方コア部２１、中間コア部２２及び後方コア部２３は、縦方向Ｘに沿って並んでいる。すなわち、前方コア部２１及び後方コア部２３は縦方向Ｘの両端部側に位置し、前方コア部２１及び後方コア部２３の間に中間コア部２２が位置する。中間コア部２２は、着用者の排泄領域に対向する領域であり、前方コア部２１及び後方コア部２３は、着用者の排泄領域の前方及び後方にそれぞれ対向する部分である。吸収性コア７は、横方向Ｙにおいて左右対称な平面形状を有する。
本実施形態では、吸収性コア７は、縦方向Ｘに幅が均一となっている。
【００２０】
図２〜５に示すように、吸収性コア７は、高厚み部７１と、低厚み部７２とを有する。低厚み部７２は、高厚み部７１よりも厚み方向Ｚにおける寸法が小さい。図４では、高厚み部７１は高密度のドットパターンで示される。
図２及び３に示すように、吸収性コア７において、高厚み部７１は、周囲よりも厚く構成され、厚み方向Ｚ下方に突出し、低厚み部７２よりも厚く構成される。図５に示すように、高厚み部７１は、中間コア部２２の横方向Ｙ中央域４１に位置し、縦方向Ｘに延在して設けられる。高厚み部７１は、吸収性コア７の第１の面７ａ上に設けられ、裏面シート３側に突出する凸状を有する。本実施形態において、高厚み部７１の坪量は、低厚み部７２の坪量よりも高く形成されている。高厚み部７１は、着用時に着用者の液が排泄される排泄部に対向するように位置する。なお、高厚み部７１は中間コア部２２に存在していればよく、前方コア部２１、後方コア部２３の少なくとも一方まで延在していても良い。
低厚み部７２は、高厚み部７１を囲むように位置する。低厚み部７２は、中間コア部２２の横方向Ｙ側方域４２、前方コア部２１及び後方コア部２３に位置する。中間コア部２２において、低厚み部７２は、高厚み部７１を間に介して高厚み部７１の横方向Ｙ両側部に隣接して位置する。
【００２１】
着用時において、中間コア部２２は、着用者から厚み方向Ｚ下方、すなわち着衣側に向かって圧力が付加された状態となる。吸収性コア７の第１の面７ａには、互いに厚みが異なる高厚み部７１と低厚み部７２との間に段差が形成されており、着用時には低厚み部７２が、着用者から付加される圧力によって着衣側に押し付けられる。これにより、裏面シート３側に突出する高厚み部７１は、相対的に肌側に向かって押し上げられ、中間コア部２２が横方向Ｙ中央域において着用者側に盛り上がるように変形する。これにより、高厚み部７１が着用者の排泄部に密着する。
【００２２】
［消臭シートの構成］
消臭シート１５は、ナプキンに消臭効果を付与する。
図２及び３に示すように、消臭シート１５は、吸収体４と裏面シート３との間に配置される。本実施形態において、消臭シート１５は、コアラップシート８の裏面シート３側に配置される。消臭シート１５は、例えば図示しない接着剤によって吸収体４（コアラップシート８）の高厚み部７１が位置する領域に接合される。吸収体４（コアラップシート８）の低厚み部７２が位置する領域においては、消臭シート１５との接着のための接着剤が位置しない、或いは、全面ではなく局所的に位置することが好ましい。
【００２３】
図４及び６に示すように、消臭シート１５は、消臭剤含有部１６と、消臭剤非含有部１７と、を有する。図４では、消臭シート１５の消臭剤含有部１６を、低密度のドットパターンで示している。厚み方向Ｚから平面視した場合、高厚み部７１が形成される領域にも消臭シート１５は存在し、消臭シート１５の形成領域の内部に高厚み部７１が位置する。
【００２４】
消臭シート１５は、本実施形態では、全体として縦方向Ｘに長い略矩形状のシートとして構成される。消臭シート１５は、前方部Ｍ１から後方部Ｍ３に亘って延在するように構成される。
消臭剤含有部１６は、消臭シート１５の横方向Ｙにおける中央部に位置する。消臭剤非含有部１７は、消臭剤含有部１６の横方向Ｙ両側部に隣接して位置し、消臭シート１５の側端部を構成する。消臭剤非含有部１７は、消臭シート１５の縦方向Ｘにおける全長にわたって延びる。
【００２５】
図６に示す例では、消臭シート１５は、活性炭含有シート９と、活性炭含有シート９の表裏面を被覆する２枚の被覆シート１０との積層体からなる。２枚の被覆シート１０は同形同大の外形を有しており、消臭シート１５は、横方向Ｙの両側端部に、被覆シート１０同士が活性炭含有シート９を介することなく接合された帯状領域を有する。この帯状領域が消臭剤非含有部１７を構成する。被覆シート１０は例えば白色であり、被覆シート１０が２枚重なる消臭剤非含有部１７は白色を有する。消臭剤含有部１６は、２枚の被覆シート１０と活性炭含有シート９が重なり合う領域である。
【００２６】
消臭剤含有部１６には消臭剤が含まれている。
消臭剤としては、それ自体が臭気に直接作用して、即ち臭気を吸着、中和、分解等して、消臭効果を発現し得る物質であり、当該技術分野においても消臭用途に汎用されているものを用いることができるが、臭気に対する広い消臭スペクトルを有する点から、多孔性の消臭粒体が好ましい。多孔性の消臭粒体としては、無機消臭粒体や、有機消臭粒体などがある。無機消臭粒体とは無機化合物を主体とする消臭粒体、即ち消臭粒体の骨格となる化合物が無機化合物である消臭粒体のことである。有機消臭粒体とは有機化合物を主体とする消臭粒体、即ち消臭粒体の骨格となる化合物が有機化合物である消臭粒体のことである。
このように、抗菌剤に加え消臭剤を用いることにより、更に悪臭の発生を抑制することができる。
【００２７】
好ましい無機消臭粒体としては、カンクリナイト様鉱物、ゼオライト、モンモリロナイト、活性炭等が挙げられる。これらの中でも極性を有している多孔性消臭粒体が水溶性の臭い原因物質の消臭に適しているので好ましく、更には、カンクリナイト様鉱物とゼオライトが広い消臭スペクトルを有する点から好ましい。なお、活性炭は非極性に属するので、有機性の臭い成分の消臭に有効であり、例えば、椰子殻炭、木炭、暦青炭、泥炭、亜炭等が挙げられる。
好ましい有機消臭粒体としては、架橋性ビニルモノマー及びヘテロ芳香環を有するビニルモノマーを含むモノマー成分を共重合して得られる粒子が挙げられる。
【００２８】
本実施形態においては消臭剤として活性炭を用いている。活性炭を用いることにより、消臭剤含有部１６は濃灰色を有する。
活性炭含有シート９は、活性炭と繊維原料を主体として構成される。
ガス状物質に対して高い吸着性を示す活性炭を用いることにより消臭剤の効果を得ることができる。活性炭含有シート９中における活性炭の含有率は、好ましくは１〜５０重量％、更に好ましくは３〜３０重量％である。
繊維原料としては、ＮＢＫＰ、ＬＢＫＰ等の木材パルプや、藁、綿等の非木材パルプ等の公知の天然繊維等が使用できる。また、シート強度を向上させる目的で、ポリエチレン繊維等の剛性繊維を併用しても良い。活性炭含有シート９中における繊維原料の含有率は、好ましくは５０質量％以上９９質量％以下、更に好ましくは７０質量％以上９７質量％以下である。
【００２９】
被覆シート１０としては、繊維原料からなるシート材、例えば紙、不織布等が用いられる。紙とした場合の繊維原料としては、活性炭含有シート９と同様のものが使用できる。また、不織布としては、例えば、スパンレース不織布、スパンボンド不織布等の公知の不織布が使用できる。
活性炭含有シート９と両被覆シート１０とは、例えば、抄き合わせ又は接着剤等を用いた貼り合わせ等により、積層一体化することができる。活性炭含有シート９を被覆シート１０によって覆うことにより、活性炭の脱落が抑制される。
【００３０】
消臭シート１５において、消臭剤非含有部１７は、消臭剤含有部１６よりも剛性の低い構成を有する。低剛性の消臭剤非含有部１７を設けることにより、ナプキン着用時、互いに剛性が異なる消臭剤含有部１６と消臭剤非含有部１７との境界部を変形起点として、中間部Ｍ２の消臭剤含有部１６の位置する横方向Ｙ中央部が、上方に凸な形状により変形しやすくなる。また、低剛性の消臭剤非含有部１７が設けられることにより、中間部Ｍ２における横方向Ｙ両側部が着用者の体に沿って変形しやすくなっている。これにより、中間部Ｍ２は着用者の股下の形状に沿って、より確実に変形しやすくなる。この結果、ナプキン１では、着用者の排泄部に対するフィット性がより一層高められる。
【００３１】
ナプキン１において、消臭シート１５が濃灰色の消臭剤含有部１６を有することにより、消臭効果に加え、ナプキン廃棄時における経血の視認性が低減される。表面シート２側を内側にしてナプキン１を丸めて廃棄する際、濃灰色の消臭剤含有部１６の存在により裏面シート３側からの経血の視認性が低減される。これにより着用者や他人がみても経血であると認知しにくく不快感が低減される。
【００３２】
ここで、ナプキン１の外観上の清潔感の観点から、裏面シート３の色は、経血の色と対照的な、例えば紫色等の寒色系であることが好ましい。
略黒色の消臭剤含有部１６を有する消臭シート１５と、紫色の裏面シート３を用いることにより、ナプキン１の廃棄時の裏面シート３側からの経血の視認性が低減される。
すなわち、ナプキン１において、略黒色の消臭剤含有部１６が形成される領域に経血が付着した場合、経血の有無による色の明るさの違いが小さいため経血の認知がしにくい。
また、ナプキン１において、略黒色の消臭剤含有部１６が存在しない領域に重なって経血が付着した場合、裏面シート３側からナプキン１をみたときの経血が付着した領域の色の明るさは、紫色の裏面シート３の明るさよりも暗くなり、略黒色の消臭剤含有部１６の色の明るさに近づいた色となる。これにより、ナプキン１において、経血が消臭シート１５の消臭剤含有部１６を超えて拡がっても、裏面シート３側から経血が視認しにくいものとなる。
【００３３】
図２〜４に示すように、消臭シート１５の消臭剤含有部１６の横方向Ｙ及び縦方向Ｘにおける寸法は、それぞれ、高厚み部７１の横方向Ｙ及び縦方向Ｘにおける寸法よりも大きくなっている。図４に示すように、消臭剤含有部１６は、平面視で、高厚み部７１の形成領域を含む当該形成領域よりも広い領域に位置する。これにより、消臭剤含有部１６は、厚み方向Ｚで低厚み部７２に対向して位置する部分を有し、低厚み部７２と消臭シート１５との間に空間が形成される。詳細については後述する。
【００３４】
消臭シート１５の消臭剤含有部１６の幅は、好ましくは、中間コア部２２の幅と同一、又はより小さく構成されることが好ましい。消臭シート１５の幅は、中間コア部２２の形成領域における消臭シート１５の横方向Ｙの最大幅寸法をいうものとする。消臭シート１５の幅は、好ましくは縦方向Ｘに沿って一定であるが、これに限定されない。
【００３５】
［吸収性コアと消臭シートとの位置関係］
図３及び４に示すように、消臭剤含有部１６は、吸収性コア７の縦方向Ｘにおける全長よりもやや短い全長を有する。消臭剤含有部１６は、前方コア部２１から中間コア部２２を通って後方コア部２３に亘って、縦方向Ｘに延びて形成される。
【００３６】
図７（Ａ）に示すように、吸収性コア７に、裏面シート３側に突出する凸状の高厚み部７１を設けることにより、消臭シート１５と吸収体４の低厚み部７２が形成される領域との間には空間７３が生じ、吸収体４の低厚み部７２が形成される領域と消臭シート１５とは接しにくい構造となっている。これにより、吸収体４で吸収された液が消臭シート１５まで到達しにくく、消臭シート１５が液により濡れることが抑制される。また、図７（Ａ）に示すように、経血等の液が原因となってナプキン１から発生するにおい７４は、空間７３を通って消臭シート１５に到達しやすくなる。
【００３７】
更に、図７（Ｂ）に示すように、高厚み部７１においては、厚みが厚いため、低厚み部７１と比べて液７５が消臭シート１５まで到達しにくいため、消臭シート１５の液濡れが抑制される。本実施形態では消臭剤含有部１６は平面視で高厚み部７１よりも大きな面積で形成されているので、仮に、高厚み部７１が形成される領域と平面視で重なる消臭シート１５の領域に液が滲入して液濡れによって消臭性能が低下しても、低厚み部７２が形成される領域と平面視で重なる消臭シート１５の領域の液濡れは空間７３によって抑制されるので、消臭シート１５全体の消臭性能の低下が抑制される。
低厚み部７２においては、図７（Ｃ）に示すように、液７５が低厚み部７２へ拡がった場合においても、消臭シート１５と低厚み部７２との間に空間７３が位置するので、液７５は消臭シート１５まで到達しにくく、消臭シート１５が濡れにくい。したがって、消臭シート１５の消臭性能の低下が抑制される。また、においは空間７３を通って消臭シート１５へ到達しやすくなっている。
【００３８】
このように、ナプキン１では、吸収性コア７が裏面シート３側に向かって凸状の高厚み部７１を有することにより、消臭シート１５は液７５によって濡れにくくなり消臭性能低下が抑制される。そして、このように消臭性能低下が抑制された消臭シート１５に対して、空間７３を通ってにおい７４が到達することにより、このにおい７４は消臭剤としての活性炭に効率よく吸着され、消臭シート１５の消臭効果が十分に発揮され得る。
【００３９】
ここで、吸収体４の低厚み部７２が位置する領域においては、消臭シート１５との接着のための接着剤が位置しない、或いは、全面ではなく局所的に接着剤が位置することが好ましい。これにより、空間７３が形成されやすくなり、消臭効果の高いナプキン１とすることができる。
【００４０】
ここでは、図７を用いて横方向Ｙに沿ったナプキン１の中間コア部２２における断面図を例にあげて、吸収体４の低厚み部７２が位置する領域と消臭シート１５との間に空間７３が設けられることを説明したが、縦方向Ｘにおいても同様である。すなわち、図３に示すように、吸収性コア７の前方コア部２１及び後方コア部２３に位置する低厚み部７２と消臭シート１５との間にも空間は形成され、ナプキン１の前後方部においても上記効果と同様の効果が得られる。
【００４１】
尚、図７では、効果をわかりやすく説明するために、吸収体４の低厚み部７２が形成される領域と消臭シート１５が離間して位置するようにナプキン１を模式的に図示している。着用時のナプキン１は、着衣と着用者との間に位置し、着用者から付加される圧力によって着衣側に押し付けられる。これにより、吸収体４の低厚み部７２が形成される領域と消臭シート１５とが接するように変形する。
しかしながら、このような形態においても、低厚み部７２と消臭シート１５との間には吸収性コア７の高厚み部７１と低厚み部７２によって形成される段差によって、空間７３が形成されやすい。したがって、ナプキン１のにおいは空間７３を通って消臭シート１５に到達し易くなっており、また、空間７３によって消臭シート１５への液の到達が抑制されて消臭シート１５の消臭性能の低下が抑制される。
【００４２】
高厚み部７１は、低厚み部７２の少なくとも一部の領域よりも坪量が大きいことがより好ましい。これにより、着用時、着用者からナプキン１にＺ方向に圧力が加わっても高厚み部７１の厚みが維持されやすく、低厚み部７２と消臭シート１５との間に空間７３がより形成されやすく、上記効果を得やすい。
【００４３】
また、図８に示すように、吸収性コア７の第１の面７ａの低厚み部７２が位置する領域はエンボス加工が施され複数のドット状の凹部３３が設けられた構成であってもよい。凹部３３は、表面シート２側に向かって凹陥した構成となっている。エンボス加工による凹部３３の形状はここに記載する形状に限定されず、例えば線状に形成されてもよい。凹部３３は、エンボス加工によって繊維の密度が高く、毛管作用によって排泄された液を引き寄せ、液の消臭シート１５への侵入を抑制する。これにより、液の消臭シート１５への到達が抑制され、消臭シート１５の消臭性能低下が抑制される。
【００４４】
［左右圧搾溝の全体構成］
図１に示すように、本体Ｍの表面シート２側には、左右圧搾溝６が形成されている。
左右圧搾溝６は、本体Ｍの中間部Ｍ２における横方向Ｙ中央部を囲むように形成された線状溝であり、本体Ｍの表面シート２側から厚み方向Ｚに圧搾加工することによって形成される。左右圧搾溝６における「線状」は、溝の形状が平面視において直線状の態様に限られず、曲線状の態様や、直線状と曲線状とからなる態様を含む。
図示を省略しているが、左右圧搾溝６は、表面シート２及び吸収体４が裏面シート３側に向かって一体的に凹陥した構成を有する。左右圧搾溝６は、熱を伴うか又は伴わない圧搾加工、あるいは超音波エンボス等のエンボス加工により常法に従って形成することができる。左右圧搾溝６では、表面シート２及び吸収体４が熱融着等により一体化している。
【００４５】
左右圧搾溝６は、周囲の領域と比較して繊維の密度が高くなるため、毛管作用によって排泄された液を吸液及び保持することができる。これにより、左右圧搾溝６は、吸収体４の外方への液の漏れを防止する防漏作用を有する。
【００４６】
図１に示すように、左右圧搾溝６は、横方向Ｙに対をなして左右に配置されている。図１に示す左右圧搾溝６は、本体Ｍを横方向Ｙに２等分する中心線に関して線対称に構成される。
左右圧搾溝６では、縦方向Ｘに延びた左右両側の圧搾溝が前方部Ｍ１及び後方部Ｍ３において連結される。これにより、左右圧搾溝６は、全体として本体Ｍを周回するように構成される。なお、「周回」とは、左右圧搾溝６が連続状に延びて周回している形態と、複数の圧搾部が間欠的に配されていて全体として１つの溝として見做せる形状が周回している形態と、のいずれをも含む意味である。
また、ナプキン１は、左右圧搾溝６の他、左右圧搾溝６の内側に、横方向Ｙに延びる中間圧搾溝１１を有していても
よい。
【００４７】
左右圧搾溝６は、周回溝として構成された本体溝部１２を有する。本体溝部１２は、本体Ｍの中間部Ｍ２においては縦方向Ｘに延び、かつ、本体Ｍの前方部Ｍ１又は後方部Ｍ３の少なくとも一方においては、横方向Ｙ内方に向かって相互に近接するように延びる。
図１に示す本体溝部１２は、前方部Ｍ１と中間部Ｍ２の境界部近傍、及び中間部Ｍ２と後方部Ｍ３の境界部近傍に、それぞれ横方向Ｙ内方に括れた括れ部を含んでいる。また、本体溝部１２は、前後の括れ部間の領域が横方向Ｙに膨出した構成を有する。
本体溝部１２は、全体が連続的に構成される態様に限定されず、途切れ部を有して断続的に構成されていてもよい。
【００４８】
左右圧搾溝６は、さらに、左右の本体溝部１２の相互に接近する側から縦方向Ｘ外方に延びる並走溝部１３を有する。
並走溝部１３は、図１に示す例では、本体Ｍの前方部Ｍ１及び後方部Ｍ３にそれぞれ位置する。但し、並走溝部１３は、本体Ｍの前方部Ｍ１又は後方部Ｍ３の少なくとも一方に位置していればよい。
並走溝部１３は、左右圧搾溝６が隣接しつつ縦方向Ｘに並走する部分であって、例えば、縦方向Ｘにほぼ平行に延びる短い部分である。このような構成により、着用者が脚を組んだときのような、本体Ｍの縦方向前方部Ｍ１又は後方部Ｍ３に横方向Ｙから大きな外力が付加される場合でも、並走溝部１３周囲の変形が効果的に抑制され、液の漏れが防止される。
【００４９】
左右圧搾溝６は、さらに、並走溝部１３の縦方向Ｘ外方側から横方向Ｙ外方に向かって相互に離間するように延びる端部溝部１４をさらに有する。端部溝部１４は、図１に示す例では、本体Ｍの前方部Ｍ１及び後方部Ｍ３にそれぞれ設けられる。但し、並走溝部１３が前方部Ｍ１又は後方部Ｍ３の一方に設けられている場合には、端部溝部１４は、並走溝部１３が設けられた前方部Ｍ１又は後方部Ｍ３に設けられていればよい。
端部溝部１４が「横方向Ｙ外方に向かって延びる」とは、横方向Ｙと平行に延びる態様に限定されず、横方向Ｙ外方のベクトル成分を含む方向に端部溝部１４が延びていればよい。つまり、端部溝部１４は、曲線状でもよい。
【００５０】
端部溝部１４を設けることにより、仮に本体溝部１２間において液が拡散し、端部溝部１４まで液が到達した場合、当該液は毛管現象によって端部溝部１４を伝って拡散し得る。この場合、端部溝部１４により液が保持されるため、端部溝部１４の縦方向Ｘ外方及び横方向Ｙ外方への液の拡散が抑制される。したがって、消臭シート１５が液で濡れる面積を減少させることができる。
【００５１】
［本実施形態の追加説明］
以下、本実施形態の説明を補足する。
（吸収性コアの寸法例）
吸収性コア７の幅は、好ましくは６０ｍｍ以上、より好ましくは７０ｍｍ以上であり、そして好ましくは１００ｍｍ以下、より好ましくは９０ｍｍ以下である。
【００５２】
（消臭シートの寸法例）
消臭シート１５の消臭剤含有部１６の縦方向Ｘにおける寸法は、吸収性コア７の低厚み部７２と消臭シート１５との間に空間が生じるように構成する観点から、平面視で高厚み部７１の縦方向Ｘにおける寸法よりも大きいことが好ましい。好ましくは、７０ｍｍ以上、より好ましくは１００ｍｍ以上であり、そして好ましくは３５０ｍｍ以下、より好ましくは３００ｍｍ以下である。
また、消臭シート１５の消臭剤含有部１６の横方向Ｙにおける寸法は、吸収性コア７の低厚み部７２と消臭シート１５との間に空間が生じるように構成する観点から、平面視で高厚み部７１の横方向Ｙにおける寸法よりも大きいことが好ましい。好ましくは、４０ｍｍ以上、より好ましくは５０ｍｍ以上である。そして、着用時の中間コア部２２での着用者へのフィット性の観点から、好ましくは９０ｍｍ以下、より好ましくは８０ｍｍ以下である。
【００５３】
（吸収性コアの坪量及び厚みの例）
高厚み部７１の厚みは、好ましくは２ｍｍ以上、より好ましくは２．５ｍｍ以上であり、そして好ましくは９ｍｍ以下、より好ましくは８ｍｍ以下である。
低厚み部７２の厚みは、好ましくは１．５ｍｍ以上、より好ましくは２ｍｍ以上であり、そして好ましくは６ｍｍ以下、より好ましくは５．５ｍｍ以下である。
高厚み部７１と低厚み部７２の厚みの差は、それぞれの坪量にもよるが、低厚み部７２と消臭シート１５との間に空間７３が形成されやすいように、好ましくは０．５ｍｍ以上、より好ましくは１ｍｍ以上である。そして好ましくは３．５ｍｍ以下、より好ましくは３ｍｍ以下である。
【００５４】
また、上述したように、高厚み部７１と低厚み部７２との段差が維持されやすく、着用時に低厚み部７２と消臭シート１５との間に空間が形成されやすいように、高厚み部７１が低厚み部７２の少なくとも一部の領域よりも坪量が高いことが好ましい。
高厚み部７１の坪量は、吸収性及び着用者との密着性を十分に確保する観点から、好ましくは２５０ｇ／ｍ２以上、より好ましくは３００ｇ／ｍ２以上であり、そして好ましくは７００ｇ／ｍ２以下、より好ましくは６５０ｇ／ｍ２以下である。
低厚み部７２の坪量は、吸収性を適当なものとしつつ着用時の快適性を確保する観点から、好ましくは９０ｇ／ｍ２以上、より好ましくは１００ｇ／ｍ２以上であり、そして好ましくは３５０ｇ／ｍ２以下、より好ましくは３００ｇ／ｍ２以下である。
【００５５】
（坪量の測定方法）
測定対象である吸収性コア７の各部をフェザー社製片刃剃刀を用いて切断し、あらかじめ定めた面積となるように小片を得る。それらの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
【００５６】
以下、他の構成例について説明するが、上述の構成と同様の構成については同様の符号を付し、説明を省略する場合がある。
（消臭シートの他の構成例）
消臭シートは、上述の構成の他、図９に示すナプキン８１の一部を構成する消臭シート８５のような構成を採り得る。
消臭シート８５は、消臭剤非含有部のない消臭剤含有部１６のみから構成される。消臭剤含有部１６は平面視で高厚み部７１よりも広い面積で形成され、図９に示すように、消臭剤含有部１６は、低厚み部７２に対向して位置する部分を有する。消臭剤含有部１６と吸収体４の低厚み部７２が位置する領域との間には空間が生じる。これにより、中間コア部２２において、中央域４１に位置する高厚み部７１と平面視で重なる消臭シート１５の領域に液が滲入して液濡れよって消臭性能が低下しても、側方域４２に位置する低厚み部７２と平面視で重なる消臭シート１５の領域の液濡れは空間によって抑制されるので、消臭シート１５全体の消臭性能を維持することが可能となる。
【００５７】
（吸収性コアの他の構成例）
吸収性コアは、上述の構成の他、図１０に示す吸収性コア２７のような構成を採り得る。
吸収性コア２７において、低厚み部７２は、第１領域７２１と第２領域７２２とを有する。
第１領域７２１は、高厚み部７１よりも坪量が低く、厚みも薄い領域である。
第２領域７２２は、高厚み部７１と同等の坪量で高厚み部７１よりも厚みが薄い領域である。第２領域７２２は、第１領域７２１よりも坪量が高く、厚みは同等の領域である。
換言すると、第１領域７２１は低坪量領域であり、第２領域７２２及び高厚み部７１は第１領域７２１よりも坪量が高い高坪量領域である。
第２領域７２２は、中間コア部２２に位置し、高厚み部７１を間に介してその横方向Ｙ両側部に隣接して一対位置する。中間コア部２２において、第２領域７２２の横方向Ｙにおける外方には第１領域７２１が位置する。
第２領域７２２の坪量は高厚み部７１の坪量と等しく、第２領域７２２の厚みは高厚み部７１よりも薄い。したがって、第２領域７２２は高厚み部７１よりも繊維の密度が高く、高密度となっている。
第２領域７２２及び高厚み部７１は、例えば第２領域７２２及び高厚み部７１が形成される領域に、面内で等しい坪量、厚みで積繊したものを、局所的にプレス加工し圧縮することによって形成することができる。プレス加工した領域が第２領域７２２となり、プレス加工を施さない領域が高厚み部７１となる。
【００５８】
このような高厚み部７１よりも密度の高い第２領域７２２を設けることにより、高厚み部７１で吸収された液は第２領域７２２に引き寄せられ、液の第２領域７２２よりも横方向Ｙ外方への拡散が抑制される。これにより、吸収性コア７の低厚み部７２と平面視で重なる消臭シート１５が濡れることを抑制することができる。
また、このような高厚み部７１よりも密度の高い第２領域７２２を設けることにより、中間コア部２２において、着用時に着用者から圧が加えられても、高厚み部７１と第２領域７２２によって形成される段差が維持されやすく、低厚み部７２と消臭シート１５との間の空間が形成されやすい。これにより、吸収性コア７から消臭シート１５への液の到達が抑制され、消臭シート１５の消臭性能低下が抑制される。また、ナプキン１のにおいは空間を通って消臭シート１５に到達し易くなっており、効率よく消臭が行われる。
【００５９】
図１０に示す低厚み部７２を坪量の異なる第１領域７２１と第２領域７２２とにより構成する場合、高厚み部７１の坪量は、吸収性及び着用者との密着性を十分に確保する観点から、好ましくは２５０ｇ／ｍ２以上、より好ましくは３００ｇ／ｍ２以上であり、そして好ましくは７００ｇ／ｍ２以下、より好ましくは６５０ｇ／ｍ２以下である。
第１領域７２１の坪量は、吸収性を適当なものとしつつ着用時の快適性を確保する観点から、好ましくは９０ｇ／ｍ２以上、より好ましくは１００ｇ／ｍ２以上であり、そして好ましくは３５０ｇ／ｍ２以下、より好ましくは３００ｇ／ｍ２以下である。
第２領域７２２の坪量は、第２領域７２２よりも横方向Ｙ外方への液の拡散を抑制する観点から、高厚み部７１と同等以上の坪量であることが好ましく、好ましくは２５０ｇ／ｍ２以上、より好ましくは３００ｇ／ｍ２以上であり、そして好ましくは７００ｇ／ｍ２以下、より好ましくは６５０ｇ／ｍ２以下である。
【００６０】
尚、第２領域７２２の坪量は、高厚み部７１の坪量と等しいとしたが、第２領域７２２と高厚み部７１の坪量は完全に同じである必要はなく、吸収性能の観点から、坪量の高い方と坪量の低い方の差を坪量の高い方で除した値が２０％以内であることが好ましく、１０％以内であることがより好ましい。第２領域７２２は高厚み部７１よりも吸収部材の密度が高く、高密度となっていることが好ましい。
【００６１】
（吸収性コアの更に他の構成例）
吸収性コアは、上述の構成の他、図１１に示すナプキン８２の一部を構成する吸収性コア８６のような構成を採り得る。
図１１に示すように、ナプキン８２は吸収体８４を有する。吸収体８４は、吸収性コア８６とコアラップシート８とを有する。
吸収性コア８６は、第１面７ａに開口した開口部を有し、該開口部では、消臭シート１５と吸収性コア８６が接触していない部分を有している。具体的には、吸収性コア８６は、複数の低坪量のブロック溝１９を有する。ブロック溝１９は、例えば、縦方向Ｘ又は横方向Ｙの少なくとも一方に延びる形状を有する。ブロック溝１９は、周囲の領域よりも低い坪量で構成され、図１１に示すように、例えば吸収性コア８６の厚み方向Ｚの下面（第１の面８６ａ）から上方に向かって形成された溝を含む。吸収性コア８６は、例えば、ブロック溝１９が格子状に設けられることで、ブロック状に分割されている。なお、本発明の吸収性コアでは、ブロック溝１９に代えて、縦方向に延びる低坪量の縦溝のみを備える形態や、横方向に延びる低坪量の横溝のみを備える形態でも良い。
【００６２】
吸収性コア８６が、裏面シート３側の第１の面８６ａにブロック溝１９を有することで、着用時、液で濡れた吸収体４と消臭シート１５との接触部位を減少させることができる。したがって、消臭シート１５の液濡れによる消臭性能の低下を抑制することができる。
また、ブロック溝１９を有することで、吸収性コア７に柔軟性を付与できる。また、ブロック溝１９が周囲の領域よりも薄く構成されることで、液由来の蒸気が溝を伝って放出され易くなり、吸収性コア８６の通気性を高めることができる。
なお、低坪量のブロック溝１９の「低坪量」とは、吸収性コア８６の材料が存在する形態の他、吸収性コア８６の材料が存在しない形態も含む概念である。また、ブロック溝１９、低坪量の縦溝及び横溝（以下、併せて低坪量溝）は、消臭シートと平面視重なるよう配されれば良いので、吸収性コアの側部のみに設けられていても良いし、前方コア部のみ又は後方コア部のみに設けられていても良い。しかし、低坪量溝は、中間コア部に設けられることが好ましく、高厚み部から低厚み部に亘って存在することが特に好ましい。
【００６３】
ブロック溝１９の幅は、好ましくは０．５ｍｍ以上、より好ましくは１ｍｍ以上であり、そして好ましくは１０ｍｍ以下、より好ましくは５ｍｍ以下ある。ブロック溝１９の深さは、好ましくは０．５ｍｍ以上、より好ましくは１ｍｍ以上であり、そして好ましくは１０ｍｍ以下、より好ましくは７ｍｍ以下である。
尚、吸収性コアがブロック溝を有する場合、上述の高厚み部７１、低厚み部７２、第１領域７２１及び第２領域７２２それぞれの坪量とは、ブロック溝１９を除くブロック部における坪量を指す。
【００６４】
（吸収性コアの更に他の構成例）
吸収性コアは、上述の構成の他、図１２に示す吸収性コア９７のような構成を採り得る。
図１２に示すように、吸収性コア９７は、中間コア部２２の横方向Ｘ全幅に亘って位置する高厚み部９１と、低厚み部９２と、を有する。高厚み部９１は平面視で六角形状を有し、低厚み部９２よりも厚みが厚く、坪量が高い部分である。低厚み部９２は、中間コア部２２の一部と、前方コア部２１及び後方コア部２３に位置する。
このような構成の吸収性コアを用いたナプキンにおいても、ナプキンの前後方部で、吸収性コア９７と消臭シートとの間に空間が生じ、吸収性コア９７を含む吸収体と消臭シートとが接しにくい構造とすることができる。これにより、吸収体で吸収された液が消臭シートまで到達して消臭シートが濡れることが抑制されて消臭性能の低下が抑制されるとともに、経血等の液が原因となってナプキンから発生するにおいは、空間を通って消臭シートに到達しやすくなり、効率よく消臭が行われる。
【００６５】
（ナプキンの他の構成例）
図１３に示すナプキン８３のように、上述のナプキン１の構成に加えてウイング部Ｗの領域に消臭シート１８が位置する構成としてもよい。
消臭シート１８は、ウイング部Ｗに対応する、表面シート２と裏面シート３との間に配置される。本体Ｍに対応して設けられる消臭シート１５と、ウイング部Ｗに対応して設けられる消臭シート１８とは例えば互いに離間して配置される。着用時、ウイング部Ｗは着衣の外面に固定されるため、着用者から排泄される液は消臭シート１８まで到達しにくくなっている。このように構造上濡れにくい部位に消臭シートを配置することによりにおいの吸着が促され、消臭性能が向上する。
また、後方部に後方部Ｍ３から横方向Ｙの外方に膨出する後方フラップ部を備えるナプキンにおいて、後方フラップ部に対応して消臭シートを設けてもよい。後方フラップ部も、ウイング部Ｗと同様に着用者から排泄される液が到達しにくい部位であり、後方フラップ部に消臭シートを設けることにより、においの吸着が促され、消臭性能が向上する。
また、裏面シート３が通気性の良い材料で形成されることにより、吸収性コア７の下に位置する消臭シート１５で消臭しきれずナプキン１の外部に放出されたにおいが、裏面シート３を通って、ウイング部Ｗや後方フラップ部に位置する消臭シートに到達して消臭されやすい。
【００６６】
以上、本発明の実施形態について説明したが、本発明は上述の実施形態にのみ限定されるものではなく、本発明の要旨を逸脱しない範囲内において種々変更を加え得ることは勿論である。
【００６７】
以上の実施形態では、吸収性物品として生理用ナプキンの例を示したが、これに限定されない。本発明の吸収性物品は、例えば、尿取りパットやおりものシート、使い捨ておむつ等であってもよい。
【符号の説明】
【００６８】
１、８１、８２、８３…ナプキン（吸収性物品）
２…表面シート
３…裏面シート
７、８６、９７…吸収性コア
７ａ…第１の面
７ｂ…第２の面
１５、１８、８５、…消臭シート
２１…前方コア部
２２…中間コア部
２３…後方コア部
【図１】
0006968133.tif 000002
【図２】
0006968133.tif 000003
【図３】
0006968133.tif 000004
【図４】
0006968133.tif 000005
【図５】
0006968133.tif 000006
【図６】
0006968133.tif 000007
【図７】
0006968133.tif 000008
【図８】
0006968133.tif 000009
【図９】
0006968133.tif 000010
【図１０】
0006968133.tif 000011
【図１１】
0006968133.tif 000012
【図１２】
0006968133.tif 000013
【図１３】
0006968133.tif 000014